(57)【要約】【課題】  子機が接続されている場合に回線抜けであるにも関わらずオフフック操作が行われたと誤って検出されるのを抑制することができるファクシミリ装置を提供する。【解決手段】  ＤＡＡ回路３からの電圧データに基づいて回線電圧の低下を検出する電圧低下検出部４１と、回線電圧の低下が検出された場合に電圧低下の傾きを検出する傾き検出部４２と、電圧低下の傾き及び所定の回線抜け傾き閾値を比較する第１の比較部４４と、回線電圧及び所定のオフフック閾値を比較する第２の比較部４６と、回線電圧及びオフフック閾値よりも小さな回線抜け電圧閾値を比較する第３の比較部４８と、第１の比較部４４による比較結果、第２の比較部４６による比較結果及び第３の比較部４８による比較結果に基づいてオフフック操作を検出するオフフック操作検出部４９と、オフフックの操作情報をディスプレイ９上に表示する操作情報表示処理部５０により構成される。【選択図】  図３
2008211298.tif 000002
【特許請求の範囲】
【請求項１】
電話回線の回線電圧を検出する回線電圧検出手段と、
上記回線電圧検出手段による検出結果に基づいて、回線電圧の低下を検出する電圧低下検出手段と、
上記電圧低下検出手段により回線電圧の低下が検出された場合に、上記回線電圧検出手段による検出結果に基づいて電圧低下の傾きを検出する傾き検出手段と、
上記傾き検出手段により検出された電圧低下の傾き及び所定の回線抜け傾き閾値を比較する第１の比較手段と、
上記回線電圧検出手段により検出された回線電圧及び所定のオフフック閾値を比較する第２の比較手段と、
上記回線電圧検出手段により検出された回線電圧及び上記オフフック閾値よりも小さな回線抜け電圧閾値を比較する第３の比較手段と、
上記第１の比較手段による比較結果、上記第２の比較手段による比較結果及び上記第３の比較手段による比較結果に基づいて、子機に対するオフフック操作を検出するオフフック操作検出手段とを備えたことを特徴とするファクシミリ装置。
【請求項２】
上記オフフック操作検出手段は、電圧低下の傾きが上記回線抜け傾き閾値よりも大きく、さらに、回線電圧が上記オフフック閾値よりも小さく、かつ、上記回線抜け電圧閾値よりも高い場合にオフフック操作が行われたと判断し、電圧低下の傾きが回線抜け傾き閾値よりも小さい場合と、電圧低下の傾きが回線抜け傾き閾値よりも大きく、かつ、回線電圧が回線抜け電圧閾値よりも低い場合とにはオフフック操作ではなく回線抜けであると判断することを特徴とする請求項１に記載のファクシミリ装置。
【請求項３】
上記傾き検出手段は、上記電圧低下の傾きとして、所定時間内における回線電圧の変化量を求めることを特徴とする請求項１又は２に記載のファクシミリ装置。
【請求項４】
上記傾き検出手段は、上記電圧低下の傾きとして、回線電圧が所定の開始電圧から終了電圧まで低下するのに要する時間を求めることを特徴とする請求項１又は２に記載のファクシミリ装置。
【請求項５】
上記オフフック操作検出手段は、回線電圧が上記オフフック閾値を下回ったときから所定時間が経過するまでに回線電圧が上記回線抜け電圧閾値よりも低下した場合に、オフフック操作ではなく回線抜けであると判断することを特徴とする請求項１又は２に記載のファクシミリ装置。
【発明の詳細な説明】
【技術分野】
【０００１】
本発明は、ファクシミリ装置に係り、さらに詳しくは、電話回線の回線電圧に基づいて子機に対するオフフック操作を検知するファクシミリ装置の改良に関する。
【背景技術】
【０００２】
電話回線に接続される子機を有するファクシミリ装置では、ＮＣＵ（ネットワークコントロールユニット）の回線電流センサ機能、又は、ＤＡＡ（Data Access Arrangement）の回線電圧モニター機能を利用して、子機に対するオフフック操作を検知することが従来から行われている。電話回線の回線電圧をモニターして子機に対するオフフック操作を検知する従来のファクシミリ装置では、回線電圧をオフフック閾値と比較することにより、オフフック操作が検知される。
【０００３】
特許文献１及び２には、回線電圧をモニターしてオフフック操作を検知する際の検知精度を向上させる技術が開示されている。これらの特許文献１及び２には、使用される国や地域が変わってもオフフック閾値を調整しなくても良く、また、ノイズなどの影響により回線電圧が変動しやすい場合であっても、オフフック操作を正しく検知することができる通信端末装置が記載されている。この通信端末装置は、サンプリングした回線電圧を一定時間前にサンプリングした回線電圧と比較し、その電圧差が基準幅よりも大きくなる事象が連続して繰り返された場合にオフフック操作の検知を行っている。
【特許文献１】特開平８−２８９０３９号公報
【特許文献２】特開平９−８３６６４号公報
【発明の開示】
【発明が解決しようとする課題】
【０００４】
電話回線には、所定の直流電圧が印加されており、オフフックにより電話回線を閉結する子機には、電話回線からの電源供給に基づいて動作するものが少なくない。一般に、オフフック時に電話回線からの電源供給に基づいて動作する子機には、呼び出し信号の検出回路などの回路が設けられ、電話回線に接続されている状態では、上記回路に含まれるコンデンサーが回線電流により充電される。この様な子機が接続された従来のファクシミリ装置では、電話回線との接続が遮断された場合、すなわち、いわゆる回線抜けが生じた場合に、子機のコンデンサーが放電するのに応じて回線電圧が低下することとなる。このため、回線電圧がオフフック閾値を下回ってから回線抜けを検知するための回線抜け閾値を下回るまでの時間が長くなるので、オフフック操作が行われたと誤った判断をしてしまう誤検出の期間が長くなってしまうという問題があった。
【０００５】
図８（ａ）及び（ｂ）は、電話回線に着脱可能に接続される子機を有する従来のファクシミリ装置の動作を示した図であり、オフフック操作の検知時に回線抜けが生じた場合が示されている。図８（ａ）には、子機が接続されていない場合が示され、図８（ｂ）には、子機が接続されている場合が示されている。装置本体に子機が接続されていない場合、電話回線に接続された状態では、装置本体で検出される回線電圧Ｖがオフフック閾値Ｖ１よりも大きな値となっており、時刻０から時刻ｔ１までの間がオンフック状態であると判別されている。この状態で装置本体を電話回線に接続するためのコネクタが外されるなどの回線抜けが生じると、回線電圧Ｖは、急激に低下し、オフフック閾値Ｖ１よりも小さな回線抜け閾値Ｖ２を下回ることとなる。時刻ｔ１から時刻ｔ４までの間は、回線電圧Ｖが回線抜け閾値Ｖ２を下回っており、回線抜けの状態であると判別されている。そして、時刻ｔ４に回線抜けが解消しており、電話回線との接続が再開されている。
【０００６】
一方、装置本体に子機が接続されている場合、電話回線に接続された状態では、回線電圧Ｖがオフフック閾値Ｖ１よりも大きな値となっているが、この状態で回線抜けが生じると、回線電圧Ｖは、子機のコンデンサーが放電されるのに時間を要することから、緩やかに一定の割合で低下することとなる。この場合、回線電圧Ｖがオフフック閾値Ｖ１を下回ってからさらに回線抜け閾値Ｖ２を下回るまでに要する時間（ｔ３−ｔ２）は、子機が接続されていない場合に比べて、長くなる。この時刻ｔ２から時刻ｔ３までの間は、回線電圧Ｖがオフフック閾値Ｖ１と回線抜け閾値Ｖ２との間にあることから、回線抜けであるにも関わらず、オフフック状態であると誤判別してしまうという問題があった。通常、オフフック操作が行われたと判別されると、子機に関するオフフックの操作情報、例えば、メッセージ「子機が電話中です」が装置本体のディスプレイ上に表示される。この様なファクシミリ装置では、装置本体の移動時などに電話回線のコネクタを外すと、電話回線との接続が遮断されているにも関わらず、オフフック操作情報が表示されるので、ユーザを混乱させてしまうこととなる。
【０００７】
本発明は、上記事情に鑑みてなされたものであり、電話回線の回線電圧に基づいて子機に対するオフフック操作を検知する際の誤検知を抑制することができるファクシミリ装置を提供することを目的としている。特に、電話回線からの電源供給に基づいて動作する子機が接続されている場合に、回線抜けであるにも関わらずオフフック操作が行われたと誤って検出されるのを抑制することができるファクシミリ装置を提供することを目的としている。
【課題を解決するための手段】
【０００８】
第１の本発明によるファクシミリ装置は、電話回線の回線電圧を検出する回線電圧検出手段と、上記回線電圧検出手段による検出結果に基づいて、回線電圧の低下を検出する電圧低下検出手段と、上記電圧低下検出手段により回線電圧の低下が検出された場合に、上記回線電圧検出手段による検出結果に基づいて電圧低下の傾きを検出する傾き検出手段と、上記傾き検出手段により検出された電圧低下の傾き及び所定の回線抜け傾き閾値を比較する第１の比較手段と、上記回線電圧検出手段により検出された回線電圧及び所定のオフフック閾値を比較する第２の比較手段と、上記回線電圧検出手段により検出された回線電圧及び上記オフフック閾値よりも小さな回線抜け電圧閾値を比較する第３の比較手段と、上記第１の比較手段による比較結果、上記第２の比較手段による比較結果及び上記第３の比較手段による比較結果に基づいて、子機に対するオフフック操作を検出するオフフック操作検出手段とを備えて構成される。
【０００９】
このファクシミリ装置では、回線電圧の低下が検出された場合に、電圧低下の傾きが検出され、その検出結果と回線抜け傾き閾値との比較結果、回線電圧とオフフック閾値との比較結果及び回線電圧と回線抜け電圧閾値との比較結果に基づいて子機に対するオフフック操作の検出が行われる。この様な構成により、回線電圧とオフフック閾値及び回線抜け電圧閾値との比較結果だけでなく、電圧低下の傾きも考慮してオフフック操作の検出が行われるので、子機が接続されている状態で回線抜けが生じた場合であっても、オフフック操作が行われたか否かを正しく判別させることができる。従って、電話回線からの電源供給に基づいて動作する子機が接続されている場合に、回線抜けであるにも関わらずオフフック操作が行われたと検出してしまう誤検出を抑制することができ、電話回線の回線電圧に基づいてオフフック操作を検知する際の誤検知を抑制することができる。ここでいう電圧低下の傾きは、単位時間当たりの回線電圧の変化量に限定されるものではない。
【００１０】
第２の本発明によるファクシミリ装置は、上記構成に加え、上記オフフック操作検出手段が、電圧低下の傾きが上記回線抜け傾き閾値よりも大きく、さらに、回線電圧が上記オフフック閾値よりも小さく、かつ、上記回線抜け電圧閾値よりも高い場合にオフフック操作が行われたと判断し、電圧低下の傾きが回線抜け傾き閾値よりも小さい場合と、電圧低下の傾きが回線抜け傾き閾値よりも大きく、かつ、回線電圧が回線抜け電圧閾値よりも低い場合とにはオフフック操作ではなく回線抜けであると判断するように構成される。
【００１１】
第３の本発明によるファクシミリ装置は、上記構成に加え、上記傾き検出手段が、上記電圧低下の傾きとして、所定時間内における回線電圧の変化量を求めるように構成される。
【００１２】
第４の本発明によるファクシミリ装置は、上記構成に加え、上記傾き検出手段が、上記電圧低下の傾きとして、回線電圧が所定の開始電圧から終了電圧まで低下するのに要する時間を求めるように構成される。
【００１３】
第５の本発明によるファクシミリ装置は、上記構成に加え、上記オフフック操作検出手段が、回線電圧が上記オフフック閾値を下回ったときから所定時間が経過するまでに回線電圧が上記回線抜け電圧閾値よりも低下した場合に、オフフック操作ではなく回線抜けであると判断するように構成される。この様な構成によれば、回線電圧がオフフック閾値を下回ってから所定時間内に回線抜け電圧閾値よりも低下した場合には回線抜けであると判断されるので、子機が接続されていない場合や、オフフック時に電話回線から電源供給を受けることなく動作する子機だけが接続されている場合に、オフフック操作を正しく検出させることができる。
【発明の効果】
【００１４】
本発明によるファクシミリ装置によれば、回線電圧とオフフック閾値及び回線抜け電圧閾値との比較結果だけでなく、電圧低下の傾きも考慮してオフフック操作の検出が行われるので、オフフック時に電話回線からの電源供給に基づいて動作する子機が接続されている状態で回線抜けが生じた場合であっても、オフフック操作が行われたか否かを正しく判別させることができる。従って、電話回線からの電源供給に基づいて動作する子機が接続されている場合に、回線抜けであるにも関わらずオフフック操作が行われたと検出してしまう誤検出を抑制することができ、電話回線の回線電圧に基づいてオフフック操作を検知する際の誤検知を抑制することができる。
【発明を実施するための最良の形態】
【００１５】
実施の形態１．
図１は、本発明の実施の形態１によるファクシミリ装置１の概略構成の一例を示したブロック図である。このファクシミリ装置１は、コネクタ２，５，７、ＤＡＡ回路３、制御部４、リレー回路６，８、ディスプレイ９、スキャナ部１０ａ及びプリンタ部１０ｂからなる装置本体１１と、子機２１により構成される。
【００１６】
スキャナ部１０ａは、読み取り対象とする原稿に光を照射しながら走査させ、当該原稿による反射光を受光して画像データを生成する撮像装置である。ここでは、原稿（用紙）の紙送り方向に照射光を走査（スキャン）させることにより、原稿上の手書き文字や印刷パターンが読み取られるものとする。生成された画像データは、制御部４へ出力される。
【００１７】
プリンタ部１０ｂは、制御部４から入力される画像データの出力装置であり、例えば、ＬＥＤプリントヘッド、駆動制御部、感光体ドラム、帯電器、現像部、転写部及び定着部により構成される。ＬＥＤプリントヘッドは、複数のＬＥＤ（Light Emitting Diode：発光ダイオード）を直線上に配置させたＬＥＤアレイを備え、画像データに基づいて光を感光体ドラムに照射する動作を行っている。
【００１８】
駆動制御部は、感光体ドラム、帯電器、現像部、転写部及び定着部からなるプリンタ機構の制御を行っている。感光体ドラムは、表面に感光体層が形成された円筒状の回転体であり、印刷時には、帯電器により表面が一様に帯電される。この様に帯電された感光体ドラムの表面に光を照射させることにより、静電潜像が形成される。
【００１９】
現像部は、静電潜像が形成された感光体ドラムの表面にトナーを付着させてトナー像を形成させる動作を行っている。転写部は、感光体ドラムの表面に形成されたトナー像を印刷用紙に転写させる動作を行っている。定着部は、トナー像が転写された印刷用紙を加熱処理及び加圧処理し、画像を印刷用紙表面に定着させる動作を行っている。
【００２０】
ディスプレイ９は、制御部４から入力される表示データの出力装置であり、子機２１に対するオフフックの操作情報などを画面表示するのに用いられる。
【００２１】
コネクタ２は、装置本体１１を電話回線に接続するためのコネクタであり、電話回線用の通信ケーブルがＤＡＡ回路３に着脱可能に接続される。この電話回線は、例えば、交換機により呼び出し信号が中継されるアナログ回線又はデジタル回線からなる公衆回線であり、音声信号や通信データが２本の通信ケーブルを介して伝送される。この電話回線には、所定の直流電圧（電圧値Ｖ０）が印加されている。例えば、Ｖ０＝４８ボルトの電圧が印加されている。
【００２２】
ＤＡＡ（Data Access Arrangement）回路３は、電話回線を介して行われる音声信号及び通信データの入出力を制御するインターフェース回路であり、電話回線の回線電圧をモニターする機能を備えている。電話回線の回線電圧は、一定の時間間隔で繰り返し検出され、検出された電圧データは、制御部４へ出力される。制御部４は、通信制御、表示処理及び画像処理などを行うコントローラであり、マイクロプロセッサからなる。
【００２３】
コネクタ５及び７は、いずれも子機を装置本体１１に接続するためのコネクタであり、電話回線と同様の通信ケーブルがＤＡＡ回路３及び制御部４に着脱可能に接続される。子機は、通信ケーブルを介して装置本体１１に接続される電話機であり、受話用レシーバ及び送話用マイクロホンからなる。子機は、着信時や発信時にオフフックされると、子機内部において電話回線を閉結し、通信可能な状態となる。このため、子機がオフフックされると、電話回線の回線電圧は、急激に低下し、例えば、６〜１０ボルト程度となる。
【００２４】
リレー回路６及び８は、それぞれコネクタ５及び７を介して子機を電話回線又は制御部４のいずれかに接続するスイッチ回路であり、制御部４からの指示により接続が切り替えられる。
【００２５】
ここで、コネクタ５及び７に接続可能な子機には、電話回線からの電源供給に基づいて動作する子機２１と、オフフック時に電話回線から電源供給を受けることなく動作する子機とがあるものとする。電話回線から電源供給を受けて動作する子機２１には、交換機からの呼び出し信号を検出する検出回路などの回路が設けられている。この回路には、安定な電源を必要とする半導体素子が含まれており、その様な半導体素子に安定して電源供給するためのコンデンサー（容量素子）も設けられている。この様な子機２１が電話回線に接続された状態では、上記回路に含まれるコンデンサーが回線電流により充電される。
【００２６】
本実施の形態によるファクシミリ装置１では、この様な少なくとも１台の子機２１が、装置本体１１に着脱可能に接続される。ここでは、子機２１がコネクタ５を介して装置本体１１に接続されており、コネクタ７には子機が接続されていないものとする。
【００２７】
制御部４は、装置本体１１への着信があった場合に、リレー回路６及び８を制御部４側に切り替え、呼び出し音を再生させるための制御信号を子機２１へ出力する。装置本体１１への着信時以外は、リレー回路６及び８は電話回線側に切り替えられる。この制御部４では、ＤＡＡ回路３からの電圧データに基づいて子機２１に対するオフフック操作を検知し、オフフックの操作情報をディスプレイ９上に表示する動作が行われる。子機に対するオフフック操作の検知とは、子機が電話回線を閉結する際の子機における閉結動作の検知のことである。
【００２８】
図２は、図１のファクシミリ装置１の動作の一例を示した図であり、オフフック操作の検知時に回線抜けが生じた場合が示されている。装置本体１１に子機２１が接続されている場合、電話回線に接続された状態では、ＤＡＡ回路３により検出される回線電圧Ｖがオフフック閾値Ｖ１よりも大きな値Ｖ０となっている。この状態で回線抜けが生じる（時刻ｔ１１）と、回線電圧Ｖは、子機２１内のコンデンサーが放電されるのに時間を要することから、緩やかに一定の割合で低下することとなる。
【００２９】
この場合、回線電圧Ｖがオフフック閾値Ｖ１を下回ってからさらに回線抜け閾値Ｖ２を下回るまでに要する時間は、子機２１が接続されていない場合に比べて長くなる。
【００３０】
制御部４では、ＤＡＡ回路３からの電圧データに基づいて回線電圧Ｖの低下が検出され、回線電圧Ｖの低下が検出された場合に、電圧低下の傾きを検出してオフフック操作が行われたか否かが判別される。
【００３１】
回線電圧Ｖの低下は、例えば、回線電圧Ｖと所定の電圧閾値Ｖ１１とを比較し、その比較結果に基づいて検出することができる。具体的には、回線電圧Ｖが電圧閾値Ｖ１１を下回った時点（時刻ｔ１２）で電圧低下が生じたものと判断される。電圧閾値Ｖ１１は、ノイズによる回線電圧の変動幅などに基づいて、オフフック閾値Ｖ１よりも大きな値として予め定められる。すなわち、Ｖ１１は、Ｖ０とオフフック閾値Ｖ１との間に定められる（Ｖ１<Ｖ１１<Ｖ０）。
【００３２】
電圧低下の傾きは、例えば、所定時間Ｔ１内における回線電圧Ｖの変化量ΔＶを求め、変化量ΔＶの絶対値が電圧低下の傾きとして検出される。子機２１に対するオフフック操作は、変化量ΔＶの絶対値を所定の回線抜け傾き閾値Ｖｔｈと比較し、その比較結果に基づいて検出される。
【００３３】
この例では、時刻ｔ１２から時刻ｔ１３までの間の変化量がΔＶとなっている。また、時刻ｔ１４に回線電圧Ｖがオフフック閾値Ｖ１となっている。また、オフフック閾値Ｖ１＝２０ボルト、回線抜け電圧閾値Ｖ２＝３ボルトとなっている。
【００３４】
回線電圧Ｖの低下が検出された場合に電圧低下の傾きを判別させることにより、ノイズなどによる電圧変動の影響が抑制されるので、傾き検出の精度を向上させることができる。
【００３５】
図３は、図１のファクシミリ装置１の要部における構成例を示したブロック図であり、制御部４内の機能構成の一例が示されている。この制御部４は、電圧低下検出部４１、傾き検出部４２、第１の比較部４４、第２の比較部４６、第３の比較部４８、オフフック操作検出部４９及び操作情報表示処理部５０により構成される。電圧低下検出部４１は、ＤＡＡ回路３からの電圧データに基づいて、回線電圧Ｖの低下を検出する動作を行っている。
【００３６】
傾き検出部４２は、電圧低下検出部４１により回線電圧Ｖの低下が検出された場合に、ＤＡＡ回路３からの電圧データに基づいて、電圧低下の傾きを検出する動作を行っている。第１の比較部４４は、傾き検出部５２により検出された電圧低下の傾きと、回線抜け傾き閾値Ｖｔｈとを比較し、比較結果をオフフック操作検出部４９へ出力する動作を行っている。回線抜け傾き閾値Ｖｔｈは、不揮発性メモリ４３内に予め格納されている。
【００３７】
第２の比較部４６は、ＤＡＡ回路３からの電圧データに基づく回線電圧Ｖと、オフフック閾値Ｖ１とを比較し、比較結果をオフフック操作検出部４９へ出力する動作を行っている。オフフック閾値Ｖ１は、不揮発性メモリ４５内に予め格納されている。第３の比較部４８は、ＤＡＡ回路３からの電圧データに基づく回線電圧Ｖと、回線抜け電圧閾値Ｖ２とを比較し、比較結果をオフフック操作検出部４９へ出力する動作を行っている。回線抜け電圧閾値Ｖ２は、不揮発性メモリ４７内に予め格納されている。
【００３８】
オフフック操作検出部４９は、第１の比較部４４による比較結果と、第２の比較部４６による比較結果と、第３の比較部４８による比較結果に基づいて、子機２１に対するオフフック操作を検出し、検出結果を操作情報表示処理部５０へ出力する動作を行っている。
【００３９】
具体的には、電圧低下の傾き（ΔＶ）が回線抜け傾き閾値Ｖｔｈよりも大きく、さらに、回線電圧Ｖがオフフック閾値Ｖ１よりも小さく、かつ、回線抜け電圧閾値Ｖ２よりも高い場合に、オフフック操作が行われたと判断される。一方、電圧低下の傾きが回線抜け傾き閾値Ｖｔｈよりも小さい場合と、電圧低下の傾きが回線抜け傾き閾値Ｖｔｈよりも大きく、かつ、回線電圧Ｖが回線抜け電圧閾値Ｖ２よりも低い場合とには、オフフック操作ではなく回線抜けであると判断される。
【００４０】
ここでは、回線電圧Ｖがオフフック閾値Ｖ１を下回ったときから所定時間が経過するまでに回線電圧Ｖが回線抜け電圧閾値Ｖ２よりも低下した場合に、オフフック操作ではなく回線抜けであると判断されるものとする。この様に構成することにより、回線電圧Ｖがオフフック閾値Ｖ１を下回ってから所定時間内に回線抜け電圧閾値Ｖ２よりも低下した場合には、回線抜けであると判断されるので、子機２１が接続されていない場合や、オフフック時に電話回線から電源供給を受けることなく動作する子機だけが接続されている場合に、オフフック操作を正しく検出させることができる。
【００４１】
操作情報表示処理部５０は、オフフック操作検出部４９による検出結果に基づいて、子機２１に関するオフフックの操作情報をディスプレイ９上に表示する処理を行っている。具体的には、オフフック操作が行われたと判別された場合に、その操作情報、例えば、メッセージ「子機が電話中です」を含む表示データがディスプレイ９へ出力される。
【００４２】
図４のステップＳ１０１〜Ｓ１０９は、図１のファクシミリ装置１における制御部４の動作の一例を示したフローチャートであり、オフフック検出のためのフラグ制御の処理手順が示されている。まず、オフフック操作検出部４９は、電圧低下検出部４１において回線電圧Ｖの低下が検出されると、現在の電圧値とオフフック閾値Ｖ１との比較結果を参照する（ステップＳ１０１，Ｓ１０２）。
【００４３】
このとき、現在の電圧値がＶ１よりも大きくなければ、この処理を終了し、Ｖ１よりも大きければ、現在の電圧値をＶａとしてメモリ内に格納する（ステップＳ１０３）。
【００４４】
次に、オフフック操作検出部４９は、一定時間（Ｔ１）が経過すると、現在の電圧値と、電圧値Ｖａとを比較する（ステップＳ１０４，Ｓ１０５）。このとき、現在の電圧値がＶａよりも大きければ、オフフック検出無視フラグを「０」（無効）としてステップＳ１０２からの処理手順を繰り返す（ステップＳ１０９）。
【００４５】
現在の電圧値がＶａよりも大きくなければ、現在の電圧値と、回線抜け電圧閾値Ｖ２との比較結果が参照される（ステップＳ１０６）。このとき、現在の電圧値が回線抜け電圧閾値Ｖ２よりも小さければ、オフフック検出無視フラグを「０」としてステップＳ１０２からの処理手順を繰り返す（ステップＳ１０９）。
【００４６】
現在の電圧値が回線抜け電圧閾値Ｖ２よりも小さくなければ、電圧低下の変化量、すなわち、Ｖａ及び現在の電圧値の差分（Ｖａ−現在の電圧値）と回線抜け傾き閾値Ｖｔｈとの比較結果が参照される（ステップＳ１０７）。このとき、差分（Ｖａ−現在の電圧値）が回線抜け傾き閾値Ｖｔｈよりも小さければ、オフフック検出無視フラグを「１」（有効）としてステップＳ１０２からの処理手順を繰り返す（ステップＳ１０８）。
【００４７】
差分（Ｖａ−現在の電圧値）が回線抜け傾き閾値Ｖｔｈよりも小さくなければ、ステップＳ１０２からの処理手順を繰り返す。
【００４８】
図５のステップＳ１１１〜Ｓ１１８は、図１のファクシミリ装置１における制御部４の動作の一例を示したフローチャートであり、子機２１に対するオフフック操作の検出動作が示されている。まず、オフフック操作検出部４９は、現在の電圧値とオフフック閾値Ｖ１との比較結果を参照する（ステップＳ１１１）。このとき、現在の電圧値がＶ１よりも大きければ、この処理を終了し、Ｖ１よりも大きくなければ、オフフック検出無視フラグを参照する（ステップＳ１１２）。
【００４９】
このとき、オフフック検出無視フラグが、「０」、すなわち、無効であれば、現在の電圧値と回線抜け電圧閾値Ｖ２との比較結果を参照する（ステップＳ１１３）。現在の電圧値がＶ２よりも小さければ、回線抜けであると判断してこの処理を終了する。一方、現在の電圧値がＶ２よりも小さくなければ、オフフック操作が行われたと判断され、その操作情報が表示される（ステップＳ１１４，Ｓ１１５）。
【００５０】
オフフック検出無視フラグが、「１」、すなわち、有効であれば、現在の電圧値と回線抜け電圧閾値Ｖ２との比較結果を参照する（ステップＳ１１６）。現在の電圧値がＶ２よりも小さければ、回線抜けであると判断してこの処理を終了する（ステップＳ１１７）。一方、現在の電圧値がＶ２よりも小さくなければ、ただちにこの処理を終了する。オフフック操作の検出時には、この様な処理手順が所定の時間間隔で繰り返される。
【００５１】
本実施の形態によれば、回線電圧Ｖとオフフック閾値Ｖ１及び回線抜け電圧閾値Ｖ２との比較結果だけでなく、電圧低下の傾きも考慮してオフフック操作の検出が行われるので、子機２１が接続されている状態で回線抜けが生じた場合であっても、オフフック操作が行われたか否かを正しく判別させることができる。従って、子機２１が接続されている場合に、回線抜けであるにも関わらずオフフック操作が行われたと検出してしまう誤検出を抑制することができ、電話回線の回線電圧Ｖに基づいてオフフック操作を検知する際の誤検知を防止することができる。
【００５２】
実施の形態２．
実施の形態１では、電圧低下の傾きとして所定時間Ｔ１内における回線電圧Ｖの変化量ΔＶが求められる場合の例について説明した。これに対し、本実施の形態では、回線電圧Ｖが所定の開始電圧Ｖ２１から終了電圧Ｖ２２まで低下するのに要する時間Ｔ２を電圧低下の傾きとして求める場合について説明する。
【００５３】
図６は、本発明の実施の形態２によるファクシミリ装置の動作の一例を示した図であり、オフフック操作の検知時に回線抜けが生じた場合が示されている。装置本体に子機２１が接続されている場合、電話回線に接続された状態では、ＤＡＡ回路３により検出される回線電圧Ｖがオフフック閾値Ｖ１よりも大きな値Ｖ０となっている。この状態で回線抜けが生じる（時刻ｔ２１）と、回線電圧Ｖは、子機２１のコンデンサーが放電されるのに時間を要することから、緩やかに一定の割合で低下することとなる。
【００５４】
電圧低下の傾きは、回線電圧Ｖが、開始電圧Ｖ２１から終了電圧Ｖ２２まで低下するのに要する時間Ｔ２として求められる。この例では、時刻ｔ２２に回線電圧ＶがＶ２１となり、その後の時刻ｔ２３にＶ２２となっており、時刻ｔ２２から時刻ｔ２３までの時間がＴ２となっている。また、時刻ｔ２４に回線電圧Ｖがオフフック閾値Ｖ１となっている。
【００５５】
子機２１に対するオフフック操作は、時間Ｔ２を所定の回線抜け傾き閾値Ｔｔｈと比較し、その比較結果に基づいて検出される。開始電圧Ｖ２１は、ノイズによる回線電圧の変動幅などに基づいて、オフフック閾値Ｖ１よりも大きな値として予め定められる。ここでは、Ｖ２１が、回線電圧Ｖの低下を検出する際の閾値としても用いられるものとする。つまり、開始電圧Ｖ２１は、回線電圧Ｖの低下を検知してオフフック操作が行われたか否かの判別処理を開始させるための閾値となっている。
【００５６】
終了電圧Ｖ２２は、Ｖ２１とオフフック閾値Ｖ１との間に予め定められる（Ｖ１≦Ｖ２２<Ｖ２１<Ｖ０）。ここでは、終了電圧Ｖ２２がオフフック閾値Ｖ１と一致させて定められるものとする。
【００５７】
図７のステップＳ２０１〜Ｓ２０９は、図６のファクシミリ装置における制御部４の動作の一例を示したフローチャートであり、オフフック検出のためのフラグ制御の処理手順が示されている。まず、オフフック操作検出部４９は、回線電圧Ｖが開始電圧Ｖ２１以下に低下すると、現在の電圧値とオフフック閾値Ｖ１との比較結果を参照する（ステップＳ２０１，Ｓ２０２）。
【００５８】
このとき、現在の電圧値がＶ１よりも大きくなければ、この処理を終了し、Ｖ１よりも大きければ、現在時刻をｔ１としてメモリ内に格納する（ステップＳ２０３）。
【００５９】
次に、オフフック操作検出部４９は、ＤＡＡ回路３から電圧データを取得して電圧値を更新し、更新後の電圧値と、回線抜け電圧閾値Ｖ２との比較結果を参照する（ステップＳ２０４，Ｓ２０５）。このとき、現在の電圧値が回線抜け電圧閾値Ｖ２よりも小さければ、オフフック検出無視フラグを「０」とし、ステップＳ２０６の処理手順に移行する（ステップＳ２１０）。
【００６０】
現在の電圧値が回線抜け電圧閾値Ｖ２よりも小さくない場合には、オフフック検出無視フラグを参照し、オフフック検出無視フラグが「０」でなければ、ステップＳ２０２からの処理手順を繰り返す（ステップＳ２０６）。
【００６１】
オフフック検出無視フラグが「０」である場合には、現在の電圧値とオフフック閾値Ｖ１との比較結果を参照し、現在の電圧値がＶ１以下でなければ、ステップＳ２０２からの処理手順を繰り返す（ステップＳ２０７）。
【００６２】
現在の電圧値がＶ１以下である場合には、回線電圧ＶがＶ２１からＶ１まで低下するのに要した時間Ｔ２、すなわち、現在の時刻及びｔ１の差分（現在の時刻−ｔ１）と、回線抜け傾き閾値Ｔｔｈとの比較結果を参照する（ステップＳ２０８）。このとき、時間Ｔ２＝（現在の時刻−ｔ１）が回線抜け傾き閾値Ｔｔｈよりも大きければ、オフフック検出無視フラグを「１」としてステップＳ２０２からの処理手順を繰り返す（ステップＳ２０９）。
【００６３】
一方、時間Ｔ２＝（現在の時刻−ｔ１）が回線抜け傾き閾値Ｔｔｈよりも大きくなければ、ただちにステップＳ２０２からの処理手順を繰り返す（ステップＳ２０９）。
【００６４】
この様な構成であっても、回線電圧Ｖとオフフック閾値Ｖ１及び回線抜け電圧閾値Ｖ２との比較結果だけでなく、電圧低下の傾きも考慮してオフフック操作の検出が行われるので、子機２１が接続されている状態で回線抜けが生じた場合であっても、オフフック操作が行われたか否かを正しく判別させることができる。
【図面の簡単な説明】
【００６５】
【図１】本発明の実施の形態１によるファクシミリ装置１の概略構成の一例を示したブロック図である。
【図２】図１のファクシミリ装置１の動作の一例を示した図であり、オフフック操作の検知時に回線抜けが生じた場合が示されている。
【図３】図１のファクシミリ装置１の要部における構成例を示したブロック図であり、制御部４内の機能構成の一例が示されている。
【図４】図１のファクシミリ装置１における制御部４の動作の一例を示したフローチャートであり、オフフック検出のためのフラグ制御の処理手順が示されている。
【図５】図１のファクシミリ装置１における制御部４の動作の一例を示したフローチャートであり、子機２１に対するオフフック操作の検出動作が示されている。
【図６】本発明の実施の形態２によるファクシミリ装置の動作の一例を示した図であり、オフフック操作の検知時に回線抜けが生じた場合が示されている。
【図７】図６のファクシミリ装置における制御部４の動作の一例を示したフローチャートであり、オフフック検出のためのフラグ制御の処理手順が示されている。
【図８】電話回線に着脱可能に接続される子機を有する従来のファクシミリ装置の動作を示した図であり、オフフック操作の検知時に回線抜けが生じた場合が示されている。
【符号の説明】
【００６６】
１  ファクシミリ装置
２，５，７  コネクタ
３  ＤＡＡ回路
４  制御部
６，８  リレー回路
９  ディスプレイ
１０ａ  スキャナ部
１０ｂ  プリンタ部
１１  装置本体
２１  子機
４１  電圧低下検出部
４２  傾き判別部
４４  第１の比較部
４６  第２の比較部
４８  第３の比較部
４９  オフフック操作検出部
５０  操作情報表示処理部
【図１】
2008211298.tif 000003
【図２】
2008211298.tif 000004
【図３】
2008211298.tif 000005
【図４】
2008211298.tif 000006
【図５】
2008211298.tif 000007
【図６】
2008211298.tif 000008
【図７】
2008211298.tif 000009
【図８】
2008211298.tif 000010